(57)【要約】【課題】保護対象となる複数の電線に比較的短いものが含まれる場合でも、それらの複数の電線を容易に保持できるようにすること。【解決手段】電線保持バー１００は、電線の端部を保持可能な第一保持部１１が、長手方向に沿って複数並んで設けられた第一電線保持部１と、電線の端部を保持可能な第二保持部２１を少なくとも１つ含み、第一電線保持部１の長手方向に沿って見て第一保持部１１に第二保持部２１が重ならないような位置に設けられている第二電線保持部２と、第一電線保持部１と第二電線保持部２とを連結する連結部３と、を備える。【選択図】図１
2017068917.tif 000002
【特許請求の範囲】
【請求項１】
電線の端部を保持可能な第一保持部が、長手方向に沿って複数並んで設けられた第一電線保持部と、
電線の端部を保持可能な第二保持部を少なくとも１つ含み、前記第一電線保持部の長手方向に沿って見て前記第一保持部に前記第二保持部が重ならないような位置に設けられている第二電線保持部と、
前記第一電線保持部と前記第二電線保持部とを連結する連結部と、を備える、電線保持バー。
【請求項２】
請求項１に記載の電線保持バーであって、
前記連結部は、前記第一電線保持部と前記第二電線保持部とを着脱可能に連結する、電線保持バー。
【請求項３】
請求項２に記載の電線保持バーであって、
前記連結部は、前記第一電線保持部の長手方向における複数の位置に前記第二電線保持部を選択的に連結する、電線保持バー。
【請求項４】
請求項１から請求項３のいずれか１項に記載の電線保持バーであって、
前記第二電線保持部は、対向する一対の側面間に形成された通過凹部と、前記一対の側面から前記一対の側面の対向方向において凹む凹部とを含み、下向きに開口する溝部と、前記凹部に設けられた前記第二保持部と、を備える、電線保持バー。
【請求項５】
請求項１から請求項３のいずれか１項に記載の電線保持バーであって、
前記第一電線保持部の前記第一保持部に保持された状態の前記電線における前記第一保持部から延び出る部分の延出方向において、前記第一電線保持部と前記第二電線保持部とが並列している、電線保持バー。
【発明の詳細な説明】
【技術分野】
【０００１】
本発明は、電線を保持可能な電線保持バーに関する。
【背景技術】
【０００２】
特許文献１には、複数の電線を保持する電線保持バーについて示されている。特許文献１に示される電線保持バーにおいては、１本若しくは２本以上の電線の端部を保持する溝が、電線保持バーの長手方向において複数並んで形成されている。
【０００３】
そして、一の電線の両端部が、それぞれ異なる２つの溝に保持されることで、一の電線が電線保持バーに保持される。
【先行技術文献】
【特許文献】
【０００４】
【特許文献１】特開２０１２−１６９３０２号公報
【発明の概要】
【発明が解決しようとする課題】
【０００５】
電線保持バーに保持される電線は、後に図板上でワイヤーハーネスの形態で配線される。ここで、電線同士の絡まり等を防止するため、ワイヤーハーネスを構成する電線を複数のグループに分け、そのグループごとに別々の溝に入れられることがある。
【０００６】
しかしながら、特許文献１に開示の電線保持バーでは、複数の溝が横一列に並ぶように設けられている。このため、ある電線の両端部は、大きく離れた２つの溝によって保持される場合が生じ得る。従って、保持対象となる電線に比較的短いものが含まれる場合、複数の電線を特許文献１に開示の電線保持バーによって保持することは困難であった。
【０００７】
そこで、本発明は、保護対象となる複数の電線に比較的短いものが含まれる場合でも、それらの複数の電線を容易に保持できるようにすることを目的とする。
【課題を解決するための手段】
【０００８】
第１態様に係る電線保持バーは、電線の端部を保持可能な第一保持部が、長手方向に沿って複数並んで設けられた第一電線保持部と、電線の端部を保持可能な第二保持部を少なくとも１つ含み、前記第一電線保持部の長手方向に沿って見て前記第一保持部に前記第二保持部が重ならないような位置に設けられている第二電線保持部と、前記第一電線保持部と前記第二電線保持部とを連結する連結部と、を備える。
【０００９】
第２態様に係る電線保持バーは、第１態様に係る電線保持バーの一態様である。第２態様に係る電線保持バーにおいては、前記連結部は、前記第一電線保持部と前記第二電線保持部とを着脱可能に連結する。
【００１０】
第３態様に係る電線保持バーは、第２態様に係る電線保持バーの一態様である。第３態様に係る電線保持バーにおいては、前記連結部は、前記第一電線保持部の長手方向における複数の位置に前記第二電線保持部を選択的に連結する。
【００１１】
第４態様に係る電線保持バーにおいては、第１態様から第３態様のいずれか１つに係る電線保持バーの一態様である。第４態様に係る電線保持バーにおいては、前記第二電線保持部は、対向する一対の側面間に形成された通過凹部と、前記一対の側面から前記一対の側面の対向方向において凹む凹部とを含み、下向きに開口する溝部と、前記凹部に設けられた前記第二保持部と、を備える。
【００１２】
第５態様に係る電線保持バーにおいては、第１態様から第３態様のいずれか１つに係る電線保持バーの一態様である。第５態様に係る電線保持バーにおいては、前記第一電線保持部の前記第一保持部に保持された状態の前記電線における前記第一保持部から延び出る部分の延出方向において、前記第一電線保持部と前記第二電線保持部とが並列している。
【発明の効果】
【００１３】
上記の各態様においては、第一電線保持部の長手方向から見て第一保持部に第二保持部が重ならないような位置に第二電線保持部が設けられている。即ち、第一電線保持部の長手方向において複数並ぶ第一保持部の延長上に、第二保持部が位置していない。この場合、短い電線の一端部が、複数の第一保持部の一部に保持された状態で、第二保持部が短い電線の一端部を保持する第一保持部に比較的近い位置となるように第二電線保持部が第一電線保持部と連結されることで、短い電線の他端部を第二保持部で保持できる。即ち、上記の各態様における電線保持バーを用いることで、保護対象となる複数の電線に比較的短いものが含まれる場合でも、それらの複数の電線を容易に保持できる。
【００１４】
また、第２態様においては、連結部は、第一電線保持部と第二電線保持部とを着脱可能に連結するため、第一電線保持部と第二電線保持部とを必要に応じて連結することで電線保持バーの取扱い性能が高まる。
【００１５】
また、第３態様においては、連結部は、第一電線保持部の長手方向における複数の位置に第二電線保持部を選択的に連結する。この場合、保護対象となる複数の電線の形態に応じて、第二電線保持部を最適な位置に設けることができ、この電線保持バーの汎用性が高まる。
【００１６】
また、第４態様においては、第二電線保持部は、下向きに開口する溝部と、凹部に設けられた第二保持部と、を備える。この場合、凹部の第二保持部に電線が保持されることで、電線が、溝部の開口から落ちにくくなる。
【００１７】
また、第５態様においては、第一電線保持部の第一保持部に保持された状態の電線における第一保持部から延び出る部分の延出方向において、第一電線保持部と第二電線保持部とが並列している。この場合、保護対象となる複数の電線に比較的短いものが含まれる場合でも、それらの複数の電線を容易に保持できる。
【図面の簡単な説明】
【００１８】
【図１】実施形態に係る電線保持バーの斜視図である。
【図２】実施形態に係る電線保持バーの第二電線保持部の斜視図である。
【図３】保護対象となる複数の電線及びそれらによって構成されるワイヤーハーネスの平面図である。
【図４】実施形態に係る電線保持バーの斜視図である。
【図５】実施形態に係る電線保持バーの断面図である。
【図６】第１変形例に係る電線保持バーの斜視図である。
【図７】第１変形例に係る電線保持バーの断面図である。
【図８】第２変形例に係る電線保持バーの正面図である。
【図９】第２変形例に係る電線保持バーの第二電線保持部の正面図である。
【発明を実施するための形態】
【００１９】
以下、添付の図面を参照しつつ、実施形態について説明する。以下の実施形態は、本発明を具現化した一例であり、本発明の技術的範囲を限定する事例ではない。
【００２０】
＜実施形態＞
まず、図１〜５を参照しつつ、実施形態に係る電線保持バー１００について説明する。電線保持バー１００は、ワイヤーハーネス９０を構成する電線９１の端部を保持可能に構成されている。ここでは、電線保持バー１００は、第一電線保持部１と第二電線保持部２と連結部３とを備える。各構成の詳細については後述する。
【００２１】
図１は、電線保持バー１００の斜視図である。図２は、第二電線保持部２の斜視図である。図３は、ワイヤーハーネス９０の平面図である。図４は、電線９１を保持した状態の電線保持バー１００の斜視図である。図５は、電線９１を保持した状態の電線保持バー１００の断面図であり、図４のＩＩ−ＩＩ線で切断した断面図である。
【００２２】
はじめに、図３，４を参照しつつ、ワイヤーハーネス９０について説明する。ワイヤーハーネス９０は、例えば、自動車等の車両に搭載される。ここでは、車両における３次元的布線形態を、２次元的に展開した所定の布線形態で組み立てられている。ワイヤーハーネス９０においては、複数の電線９１が所定の布線形態に沿って集合及び分岐させられている。自動車等の車両に搭載されたワイヤーハーネス９０においては、テープ又は結束具等を用いて電線９１が結束され、ワイヤーハーネス９０の電線９１の途中部分にはコルゲートチューブ等の保護部材が装着されること及び電線９１の端部に端子及びコネクタ等の部材が接続されることも考えられる。
【００２３】
また、図３に示されるように、本実施形態では、ワイヤーハーネス９０は、幹線部分８９と分岐線部分８０とを有している。ここでは、幹線部分８９は、電線９１を最も多く含む部分である。また、ここでは、分岐線部分８０は、幹線部分８９の端部から周囲外方へ延出するように配設されている。本実施形態では、幹線部分８９から６つの分岐線部分８０が配設されている場合を説明する。以下、６つの分岐線部分８０を必要に応じ、分岐線部分８１〜８６と区別して称する。分岐線部分８１〜８６は、後述するようにグループ分けされ電線保持バー１００の第一保持部１１又は第二保持部２１によって保持される。
【００２４】
また、ここでは、ワイヤーハーネス９０が、４つ電線９１を含む場合の事例を説明する。以下、必要に応じ、４つの電線９１を、電線９１Ａ、電線９１Ｂ、電線９１Ｃ及び電線９１Ｄと区別して称する。そして、本実施形態では、幹線部分８９及び分岐線部分８１〜８６が以下のように構成されている。
【００２５】
即ち、図３に示されるように、１つ目の分岐線部分８１は、電線９１Ａの一端を含む部分及び電線９１Ｂの一端を含む部分によって構成されている。また、２つ目の分岐線部分８２は、電線９１Ｃの一端を含む部分によって構成されている。また、３つ目の分岐線部分８３は、電線９１Ａの他端を含む部分及び電線９１Ｄの一端を含む部分によって構成されている。また、４つ目の分岐線部分８４は、電線９１Ｄの他端を含む部分によって構成されている。また、５つ目の分岐線部分８５は、電線９１Ｃの他端を含む部分によって構成されている。また、６つ目の分岐線部分８６は、電線９１Ｂの他端を含む部分によって構成されている。そして、ここでは、幹線部分８９は、電線９１Ａ、９１Ｂ，９１Ｃの中間部分によって構成されている。
【００２６】
本実施形態では、各分岐線部分８０に含まれる電線９１がまとめて電線保持バー１００の第一保持部１１又は第二保持部２１に保持される。即ち、ここでは、ワイヤーハーネス９０を構成する４つの電線９１が、それぞれ６つのグループ（分岐線部分８１〜８６）に分けられた状態で電線保持バー１００に保持される。ワイヤーハーネス９０を構成する電線９１がグループ分けされて電線保持バー１００に保持されることで、図板上に電線９１を配設する作業を容易に行うこと及び電線９１同士の絡まりを抑制することが可能となる。
【００２７】
次に、本実施形態における電線保持バー１００について説明する。上述のように電線保持バー１００は、第一電線保持部１と第二電線保持部２と連結部３とを備える。
【００２８】
まず、第一電線保持部１について説明する。図１に示されるように、第一電線保持部１においては、電線９１の端部を保持可能な第一保持部１１が長手方向に沿って複数並んで設けられている。
【００２９】
より具体的には、図１に示されるように、第一電線保持部１は、長尺状に形成され比較的硬い基部１９と第一電線保持部１の長手方向に沿って複数設けられた溝部１８とを含む。基部１９は、例えば、樹脂等で形成された部材である。また、溝部１８は、基部１９における対向する一対の側面部分の間に形成されている。そして、ここでは、溝部１８の一対の側面部分の対向方向が、第一電線保持部１の長手方向と一致するように、溝部１８が基部１９に形成されている。また、溝部１８は、一対の側面部分の対向方向（第一電線保持部１の長手方向）と溝部１８の開口から底部に向かう方向（溝部１８の深さ方向）とに直交する第一電線保持部１の短手方向において、基部１９を貫通して形成されている。なお、ここでは、溝部１８は上向きに開口している。また、ここでは、溝部１８が、Ｕ字状の溝である場合が示されている。しかしながら、溝部がＶ字状に形成されている場合又は溝部がそれぞれ直角を成して連なる３つの平面によって囲まれて形成されている場合等、他の形状であってもよい。
【００３０】
そして、ここでは、第一保持部１１は、溝部１８の内部に設けられ、溝部１８の深さ方向において延在している。また、ここでは、第一保持部１１は、中央部分に溝部１８の深さ方向において延在するスリット１５が形成されたゴム等の弾性部材を含む。なお、図１に示される例では、第一保持部１１は、スリット１５が形成された弾性部材を２つ含む構成とされている。このような第一電線保持部１は、例えば、長尺でかつ板状の第一保持部が、基部が第一電線保持部の短手方向において分割された基部片によって挟まれることで、得られることが考えられる。なお、他の例として、第一保持部を形成する樹脂と基部を形成する樹脂との二色成形によって第一電線保持部が形成されること等も考えられる。
【００３１】
本実施形態では、第一保持部１１のスリット１５に電線９１が入れられることで、ゴム等の弾性部材が電線９１を挟持する。これにより、第一保持部１１で電線９１が保持される。
【００３２】
次に、第二電線保持部２について説明する。第二電線保持部２は、電線９１の端部を保持可能な第二保持部２１を少なくとも１つ含む。なお、ここでは、図１，２に示されるように、第二電線保持部２が、第二保持部２１を１つ含む場合の事例が示されている。しかしながら、第二電線保持部が、第二保持部を複数含む構成であってもよい。例えば、第二電線保持部が、一の直線に沿って並ぶ複数の第二保持部を備える構成であってもよい。
【００３３】
そして、電線保持バー１００においては、第二電線保持部２は、第一電線保持部１の長手方向に沿って見て第一保持部１１に第二保持部２１が重ならないような位置に設けられている。ここでは、図３に示されるように、第一保持部１１の下方に第二保持部２１が位置するように第二電線保持部２が設けられている。ちなみに、第一電線保持部１の長手方向に沿って見て第一保持部１１に第二保持部２１が重ならないような位置とは、複数の第一保持部１１が並ぶ方向に沿う一の直線の延長上に第二保持部２１が存在しない状態を意味する。また、ここでは、さらに、第一電線保持部１の短手方向に沿って見て、第一電線保持部１の長手方向における一端から他端の間に第二保持部２１が位置するように第二電線保持部２が設けられている。
【００３４】
また、ここでは、図２に示されるように、第二電線保持部２は、樹脂等で形成された比較的硬い基部２９と基部２９に設けられた溝部２８とを含む。ここでは、電線保持バー１００において、溝部２８の開口の向きは、第一電線保持部１の溝部１８の開口の向きと反対である。即ち、電線保持バー１００において、溝部２８は、下向きに開口する。
【００３５】
そして、ここでは、溝部２８は、基部２９における対向する一対の側面部分の間に形成されている。なお、一対の側面部分は、通過凹部２７０を形成する一対の側面２７を含む。そして、溝部２８は、対向する一対の側面２７間に形成された通過凹部２７０と、一対の側面２７から一対の側面２７の対向方向において凹む凹部２６とを含む。なお、ここでは、凹部２６は、溝部２８における一対の側面部分のうちの一方に形成されている。なお、凹部が、溝部２８における一対の側面部分の両方に設けられていてもよい。
【００３６】
図２に示されるように、通過凹部２７０は、凹部２６よりも溝部２８の開口側に設けられている。また、通過凹部２７０は、電線９１が通過可能に構成されている。
【００３７】
凹部２６は、通過凹部２７０よりも溝部２８の底部側に設けられている。ここでは、凹部２６は、一対の側面部分における最も溝部２８の底部側の部分に設けられており、溝部２８は、全体としてＬ字状となるように形成されている。
【００３８】
そして、ここでは、第二保持部２１は、凹部２６に設けられている。このため、第二電線保持部２に保持される電線９１は、溝部２８の開口から通過凹部２７０を通り、凹部２６へと移動させられることで、第二保持部２１に保持される。
【００３９】
なお、本実施形態において、第二保持部２１は、第一保持部１１と同様、中央部分に一対の側面２７の対向方向において延在するスリット２５が形成されたゴム等の弾性部材を含む。図１，２に示される例では、第二保持部２１は、スリット２５が形成された弾性部材を２つ含む構成とされている。本実施形態では、第二保持部２１のスリット２５に電線９１が入れられることで、ゴム等の弾性部材が電線９１を挟持する。これにより、第二保持部２１で電線９１が保持される。なお、このような第二電線保持部２は、例えば、上述した第一電線保持部１と同様の方法で得ることができる。
【００４０】
次に、連結部３について説明する。連結部３は、第一電線保持部１と第二電線保持部２とを連結する。ここでは、図１に示されるように、連結部３は、第一電線保持部１の基部１９の下方側の部分、即ち、溝部１８の開口に対し反対側の部分に設けられた第一連結部３１と、溝部２８が下向きに開口する状態の第二電線保持部２の上方側の部分、即ち、溝部２８の開口に対し反対側の部分に設けられた第二連結部３２と、を含む。
【００４１】
そして、本実施形態では、第一電線保持部１と第二電線保持部２とが磁石を含む連結部３によって連結される。即ち、第一連結部３１及び第二連結部３２の少なくとも一方が磁石により構成されている。例えば、第一連結部３１及び第二連結部３２の両方が永久磁石によって構成されている場合若しくは第一連結部３１及び第二連結部３２の一方が永久磁石によって構成され他方が永久磁石に吸着可能な磁性体によって構成されている場合が考えられる。
【００４２】
なお、別の態様として、連結部が、磁石を含む構成以外の構成によって第一電線保持部と第二電線保持部とを連結する場合も考えられる。例えば、第一電線保持部と第二電線保持部とが嵌め込み構造によって連結される場合も考えられる。この場合、例えば、第一連結部及び第二連結部のうちの一方が、凸状に形成され、他方が、凸状に形成された一方に嵌合可能な凹状に形成されている場合が考えられる。なお、他にも第一電線保持部と第二電線保持部とがネジ留めによって連結されている場合等も考えられる。
【００４３】
また、本実施形態では、連結部３は、磁石を含む構成であり、さらに第一電線保持部１と第二電線保持部２とを着脱可能に連結する。即ち、第一電線保持部１と第二電線保持部２とは必要に応じ、取り外し可能な程度の磁力で連結されている。
【００４４】
また、本実施形態では、さらに、連結部３は、第一電線保持部１の長手方向における複数の位置に第二電線保持部２を選択的に連結する。ここでは、図１に示されるように、第一連結部３１が、第一電線保持部１の長手方向における基部１９の一端７１から他端７２に亘る範囲に設けられている。このため、第一電線保持部１の長手方向において延在するように設けられた第一連結部３１の任意の位置で第二連結部３２と連結することが可能となる。即ち、第一電線保持部１と第二電線保持部２とを第一電線保持部１の長手方向における任意の位置で連結することが可能となる。
【００４５】
また、図４に示される例では、第二電線保持部２の一対の側面２７の対向方向と第一電線保持部１の長手方向とが一致した状態で、第一連結部３１と第二連結部３２とが吸着し、第一電線保持部１と第二電線保持部２とが連結されている。しかしながら、他の例として、第二電線保持部２の一対の側面２７の対向方向と第一電線保持部１の長手方向とが斜めに交差した状態で、第一連結部３１と第二連結部３２とを吸着させてもよい。また、他の例として、第二電線保持部２の一対の側面２７の対向方向と第一電線保持部１の短手方向とが一致した状態で、第一連結部３１と第二連結部３２とを吸着させてもよい。
【００４６】
次に、図３〜５を参照しつつ、電線保持バー１００に電線９１が保持される状態について説明する。上述のように、本実施形態では、４つの電線９１を含むワイヤーハーネス９０が６つのグループ（分岐線部分８１〜８６）に分けられて電線保持バー１００に保持される。
【００４７】
より具体的に説明する。まず、横一列に第一保持部１１が並ぶ第一電線保持部１に、６つのグループに分けられた各電線９１が保持されようとする。ここでは、第一電線保持部１の長手方向において並ぶ複数の第一保持部１１のうち、一端７１側の部分から他端７２側の部分に向かって順番に分岐線部分８１、分岐線部分８２、分岐線部分８３、分岐線部分８４、分岐線部分８５、そして、分岐線部分８６に含まれる電線９１が保持される。以下では、必要に応じ、各分岐線部分８１〜８５に含まれる電線９１を保持する第一保持部１１を、第一保持部１１１〜１１５と称する。なお、図４では、第一電線保持部１の最も一端７１側に位置する第一保持部１１の使用が見送られているが、この第一保持部１１から他端７２側に向かう各第一保持部１１が電線９１を保持するようにしてももちろんよい。
【００４８】
図４に示されるように、第一電線保持部１において使用される５つの第一保持部１１のうち最も一端７１側に位置する第一保持部１１１には、分岐線部分８１に含まれる電線９１Ａの一端部及び電線９１Ｂの一端部が保持される。また、第一保持部１１１の他端７２側に隣接する第一保持部１１２には、分岐線部分８２に含まれる電線９１Ｃの一端部が保持される。また、第一保持部１１２の他端７２側に隣接する第一保持部１１３には、分岐線部分８３に含まれる電線９１Ａの他端部及び電線９１Ｄの一端部が保持される。また、第一保持部１１３の他端７２側に隣接する第一保持部１１４には、分岐線部分８４に含まれる電線９１Ｄの他端部が保持される。また、第一保持部１１４の他端７２側に隣接する第一保持部１１５には、分岐線部分８５に含まれる電線９１Ｃの他端部が保持される。
【００４９】
ここで、図４に示されるように、順番に従えば、第一保持部１１５の他端７２側に隣接する第一保持部１１７には、分岐線部分８６に含まれる電線９１Ｂの他端部が保持されるはずである。しかしながら、第一保持部１１１と第一保持部１１７との間の距離よりも、電線９１Ｂの長さが短い場合、電線９１Ｂの他端部を第一保持部１１７で保持することができなくなる。
【００５０】
そこで、本実施形態では、第二電線保持部２が使用される。即ち、図４，５に示されるように、電線９１Ｂの他端部が、第二電線保持部２の第二保持部２１で保持される。なお、第二保持部２１で電線９１Ｂの他端部を保持するため、第二電線保持部２は、電線９１Ｂの一端部が第一保持部１１１に保持された状態で、電線９１Ｂの他端部を第二保持部２１で保持できるような位置に設けられていることが考えられる。好ましくは、第一保持部１１１に比較的近い位置、即ち、真下に第二保持部２１が位置するように第二電線保持部２が設けられていればよい。
【００５１】
以上より、本実施形態では、第一電線保持部１及び第二電線保持部２を用いて、６つにグループ分けされた４つの電線９１を、グループ分けを崩すことなく、電線保持バー１００で保持できる。その結果、この後に行われる電線９１の図板への配設作業を容易に行うこと及び電線９１同士の絡まりを抑制することが可能となる。
【００５２】
なお、上記の実施形態では、分岐線部分８６が、短い電線９１Ｂのみを含む例が示されている。しかしながら、他の例として、上記分岐線部分が、短い電線の他に長い電線を含む場合において、短い電線とそれ以外とを再グループ分けし、例えば、短い電線及び長い電線の一端部を第一保持部１１１で保持し、短い電線の他端部を第二保持部２１で保持し、それ以外の比較的長い電線の他端部を第一保持部１１５に隣接する第一保持部１１７で保持することも考えられる。
【００５３】
また、本実施形態においては、第一電線保持部１の長手方向から見て第一保持部１１に第二保持部２１が重ならないような位置に第二電線保持部２が設けられている。即ち、第一電線保持部１の長手方向において複数並ぶ第一保持部１１の延長上に、第二保持部２１が位置していない。この場合、短い電線９１Ｂの一端部が、複数の第一保持部１１の一部（第一保持部１１１）に保持された状態で、第二保持部２１が短い電線９１Ｂの一端部を保持する第一保持部１１１に比較的近い位置となるように第二電線保持部２が第一電線保持部１と連結されることで、短い電線９１Ｂの他端部を第二保持部２１で保持できる。即ち、電線保持バー１００を用いることで、ワイヤーハーネス９０を構成し保護対象となる複数の電線９１に比較的短いものが含まれる場合でも、それらの複数の電線９１を容易に保持できる。
【００５４】
また、本実施形態においては、連結部３は、第一電線保持部１と第二電線保持部２とを着脱可能に連結するため、第一電線保持部１と第二電線保持部２とを必要に応じて連結することで電線保持バー１００の取扱い性能が高まる。即ち、必要に応じ、第一電線保持部１のみで対応することも可能となる。
【００５５】
また、本実施形態においては、連結部３は、第一電線保持部１の長手方向における複数の位置に第二電線保持部２を選択的に連結する。この場合、保護対象となる複数の電線９１の形態に応じて、第二電線保持部２を最適な位置に設けることができ、この電線保持バー１００の汎用性が高まる。
【００５６】
また、本実施形態においては、第二電線保持部２は、下向きに開口する溝部２８と、凹部２６に設けられた第二保持部２１と、を備える。この場合、凹部２６の第二保持部２１に電線９１が保持されることで、電線９１が、溝部２８の開口から落ちにくくなる。
【００５７】
＜第１変形例＞
次に、図６，７を参照しつつ、第１変形例に係る電線保持バー１００Ａについて説明する。図６は、電線保持バー１００Ａの斜視図である。図７は、電線保持バー１００Ａの断面図であり、図６のＩＩＩ−ＩＩＩ線で切断した断面図である。なお、図６，７において、図１〜５に示される構成要素と同じ構成要素には同じ参照符号が付されている。以下、電線保持バー１００Ａにおける電線保持バー１００と異なる点について説明する。
【００５８】
本例では、電線保持バー１００Ａは、第一電線保持部１と第二電線保持部２Ａと連結部３Ａとを備える。第一電線保持部１については、実施形態に示される構成と同様のため説明を省略する。なお、図６に示される例では、第一電線保持部１は、第一電線保持部１を収容可能な凹部６１が形成された支持部６によって支持されている。即ち、支持部６の凹部６１に第一電線保持部１が収容され、支持部６の上部から第一保持部１１が突出する構成とされている。
【００５９】
本例の電線保持バー１００Ａにおいては、第二電線保持部２Ａにおける溝部２８Ａが上向きに開口する状態で使用される。このため、第二電線保持部２Ａの溝部２８Ａ及び第二保持部２１Ａの構造が、実施形態と異なっている。
【００６０】
より具体的には、第二電線保持部２Ａは、樹脂で形成された比較的硬い基部２９Ａと溝部１８と同様の形状の溝部２８Ａとを含む。即ち、ここでは、図６に示されるように、溝部２８Ａは、第一電線保持部１の溝部１８と同様、Ｕ字状に形成されている。
【００６１】
また、第二保持部２１Ａは、溝部２８Ａの深さ方向において延在するように溝部２８Ａの内部に設けられ、中央部分に溝部２８Ａの深さ方向において延在するスリット２５Ａが形成されたゴム等の弾性部材を含んでいる。
【００６２】
即ち、本例において、第二電線保持部２Ａは、第一電線保持部１における１つの第一保持部１１を含む部分を抽出した形状とされている。
【００６３】
次に、連結部３Ａについて説明する。本例においても、連結部３Ａは、磁石を含む構成とされている。連結部３Ａは、第一電線保持部１に設けられた第一連結部３１及び第二電線保持部２に設けられた第二連結部３２の他に、さらに第一連結部３１と第二連結部３２とを連結する第三連結部３３を含んでいる。
【００６４】
ここでは、第三連結部３３は、板状の部材が折り曲げられて形成されている。また、ここでは、図６に示されるように、第三連結部３３の一部が、支持部６の凹部６１に収容されている。第三連結部３３は、金属製の部材若しくは磁石を含む部材である。例えば、第一連結部３１と第二連結部３２とがともに磁石を含む場合、第三連結部３３は、金属の板材が折り曲げられた部材であることが考えられる。このため、本例でも、連結部３Ａによって第一電線保持部１と第二電線保持部２Ａとが着脱可能に連結されている。また、本例においても、実施形態と同様、例えば、第一連結部３１が、第一電線保持部１の長手方向における一端７１から他端７２に亘って設けられることで、連結部３Ａが、第一電線保持部１の長手方向における複数の位置に第二電線保持部２Ａを選択的に連結することが可能に構成されていることが考えられる。
【００６５】
なお、図７に示される例では、第一電線保持部１の溝部１８の開口に対し反対側の部分、即ち、第一電線保持部１の底部に第一連結部３１が設けられている。しかしながら、上記箇所以外の位置に、第一連結部が設けられていてもよい。例えば、第一電線保持部の基部における第二保持部側を向く外側面に第一連結部が設けられていてもよい。
【００６６】
そして、本例においては、図６に示されるように、第一電線保持部１の第一保持部１１に保持された状態の電線９１における第一保持部１１から延び出る部分の延出方向において、第一電線保持部１と第二電線保持部２Ａとが並列している。つまり、第一電線保持部１の溝部１８が基部１９を貫通する方向、即ち、第一電線保持部１の短手方向において、第一電線保持部１と第二電線保持部２Ａとが並列している。
【００６７】
なお、ここでは、第二電線保持部２Ａの溝部２８Ａが基部２９Ａを貫通する方向と第一電線保持部１の短手方向とが一致した状態で、第三連結部３３に第一連結部３１及び第二連結部３２が吸着し、第一電線保持部１と第二電線保持部２Ａとが連結されている。しかしながら、他の例として、第二電線保持部２Ａの溝部２８Ａが基部２９Ａを貫通する方向と第一電線保持部１の短手方向とが斜めに交差した状態で、第三連結部３３に第一連結部３１及び第二連結部３２とを吸着させてもよい。また、他の例として、第二電線保持部２Ａの溝部２８Ａが基部２９Ａを貫通する方向と第一電線保持部１の長手方向とが一致した状態で、第三連結部３３に第一連結部３１及び第二連結部３２とを吸着させてもよい。
【００６８】
また、ここでは、第一電線保持部１の第一保持部１１と第二電線保持部２Ａの第二保持部２１Ａとの高さが一致するように連結部３Ａによって第一電線保持部１と第二電線保持部２Ａとが連結されている。しかしながら、第一電線保持部１の第一保持部１１が、第二電線保持部２Ａの第二保持部２１Ａよりも上方の位置となるように若しくは下方の位置となるように第一電線保持部と第二電線保持部とが連結されていてもよい。
【００６９】
次に、電線９１を保持した状態の電線保持バー１００Ａについて説明する。ここでは、実施形態と同様、分岐線部分８１〜８５に含まれる電線９１が、第一電線保持部１の第一保持部１１１〜１１５に保持される。そして、第一保持部１１１と第一保持部１１７と間の距離よりも、電線９１Ｂの長さが短い場合、電線９１Ｂの他端部を第一保持部１１７で保持することができなくなる。このため、本例では、分岐線部分８６に含まれる電線９１が、第一電線保持部１の短手方向において第一電線保持部１と並列する第二電線保持部２Ａの第二保持部２１Ａに保持される。なお、第二保持部２１Ａで電線９１Ｂの他端部を保持するため、第二電線保持部２Ａは、電線９１Ｂの一端部が第一保持部１１１に保持された状態で、電線９１Ｂの他端部を第二保持部２１Ａで保持できるような位置に設けられていることが考えられる。好ましくは、第一保持部１１１に比較的近い位置、即ち、第一電線保持部１の長手方向において第一保持部１１１と第二保持部２１Ａとが一致するような位置となるように第二電線保持部２Ａが設けられていればよい。
【００７０】
以上より、本例においても、第一電線保持部１及び第二電線保持部２Ａを用いて、６つにグループ分けされた４つの電線９１を、グループ分けを崩すことなく、電線保持バー１００Ａで保持できる。その結果、この後に行われる電線９１の図板への配設作業を容易に行うこと及び電線９１同士の絡まりを抑制することが可能となる。
【００７１】
また、図７に示されるように、本例では、電線９１Ｂは、電線９１Ｂの他端部が第二保持部２１Ａに保持された状態で第二保持部２１Ａから第一電線保持部１側に対し反対側に延び出た形態で、かつ、電線９１Ｂの一端部が第一保持部１１１に保持された状態で第一保持部１１１から第二電線保持部２Ａ側に対し反対側に延び出た形態で、第一保持部１１１と第二保持部２１Ａとに保持されている。この場合、例えば、第三連結部３３に電線９１が接触すること等を抑制できる。なお、電線が、電線の他端部が第二保持部に保持された状態で第二保持部から第一電線保持部側に対し反対側に延び出た形態で、かつ、電線の一端部が第一保持部に保持された状態で第一保持部から第二電線保持部側に延び出た形態で、第一保持部と第二保持部とに保持されている場合等ももちろん考えられる。
【００７２】
＜第２変形例＞
次に、図８、９を参照しつつ、第２変形例に係る電線保持バー１００Ｂについて説明する。図８は、電線保持バー１００Ｂの正面図である。図９は、第二電線保持部２Ｂの正面図である。なお、図８，９において、図１〜７に示される構成要素と同じ構成要素には同じ参照符号が付されている。以下、電線保持バー１００Ｂにおける電線保持バー１００と異なる点について説明する。
【００７３】
本例においては、第一電線保持部１Ｂにおける第一保持部１１Ｂ及び第二電線保持部２Ｂにおける第二保持部２１Ｂの構成が、実施形態と異なっている。なお、本例において、第一保持部１１Ｂ及び第二保持部２１Ｂは、同じ構成とされている。
【００７４】
本例においては、図８，９に示されるように、第二保持部２１Ｂは、一対の側面２７において凸状に形成された一対の突起部２１０を含む。一対の突起部２１０は、樹脂等により形成され比較的硬いことが考えられる。また、一対の突起部２１０は、自然状態において、先端同士が突き合わさっている。そして、図９に示されるように、一対の突起部２１０は、バネ等の弾性部材（不図示）により、一対の突起部２１０の先端間の距離が大きくなるように開閉可能に構成されている。
【００７５】
図９に示される例では、溝部２８の開口から電線９１が入れられる際に一対の突起部２１０に接触し、一対の突起部２１０が溝部２８の底部側に傾く。これにより、一対の突起部２１０の先端間に隙間が生じ、電線９１を溝部２８の内部に入れることが可能となる。即ち、電線９１を第二保持部２１Ｂで保持することができる。なお、第二保持部２１Ｂから電線９１が取り出される場合は、電線９１が溝部２８の開口側に移動させられて一対の突起部２１０に接触し、一対の突起部２１０が溝部２８の開口側に傾く。これにより、一対の突起部２１０の先端間に隙間が生じ、電線９１を溝部２８から取り出すことが可能となる。
【００７６】
ちなみに、本例においては、第二電線保持部２Ｂは、溝部２８が下向きに開口する状態で第一電線保持部１Ｂに連結される。従って、第二電線保持部２Ｂの一対の突起部２１０は、電線９１の自重により生じる鉛直下向きの力によって開閉しないように構成されていることが考えられる。
【００７７】
なお、本例において、第一保持部１１Ｂについては、第二保持部２１Ｂと同様の構成であるため、説明を省略する。
【００７８】
＜応用例＞
実施形態において、第二保持部が第一保持部と同様の構成とされている場合も考えられる。また、実施形態において、第一保持部が第二保持部と同様の構成とされていてもよい。また、第１変形例の第一保持部及び第二保持部の少なくとも一方が、実施形態の第二保持部と同様の構成とされていてもよい。
【００７９】
また、第２変形例において、第一保持部及び第二保持部が、一対の側面の一方から突出し、先端が他方に接する一の突起部を含む構成であってもよい。この場合、一の突起部が根元側から曲がるように変形し、溝に電線を入れること及び溝から電線を取り出すことが可能となる。
【００８０】
また、第２変形例において、一対の突起部全体が、ゴム等の弾性部材で構成されていてもよい。
【００８１】
なお、本発明に係る電線保持バーは、各請求項に記載された発明の範囲において、以上に示された実施形態、変形例及び応用例を自由に組み合わせること、或いは、実施形態、変形例及び応用例を適宜、変形する又は一部を省略することによって構成されることも可能である。
【符号の説明】
【００８２】
１  第一電線保持部
１００  電線保持バー
１１  第一保持部
２  第二電線保持部
２１  第二保持部
２６  凹部
２７  側壁部
２８  溝部
３  連結部
９１  電線
【図１】
2017068917.tif 000003
【図２】
2017068917.tif 000004
【図３】
2017068917.tif 000005
【図４】
2017068917.tif 000006
【図５】
2017068917.tif 000007
【図６】
2017068917.tif 000008
【図７】
2017068917.tif 000009
【図８】
2017068917.tif 000010
【図９】
2017068917.tif 000011